(57)【要約】【課題】自然斜面に窪みがある場合に、その窪み部分の土砂流出防止を有効に図ることが可能な自然斜面安定化工法を提供する。【解決手段】自然斜面に設置した各アンカー１の頭部に支圧部材２を取り付けこれを締着しアンカー１間をワイヤロープ３で連結する自然斜面安定化工法において、ワイヤロープ３に沿う部分に窪み１３がある箇所について、ワイヤロープ３に沿って土砂流出防止のための土砂流出防止部材、例えば棒状部材１１を配置し地面に保持する。棒状部材１１がアンカー間の窪みを埋める態様で配置されるので、ロープが宙に浮いていても、窪みにおける土砂流出防止作用を有効に果たすことができる。【選択図】図４
2008115544.tif 000002
【特許請求の範囲】
【請求項１】
斜面に多数のアンカーを設置するとともに、各アンカーの頭部に支圧部材を取り付けこれを締着して地盤に対する支圧力を与え、かつ各アンカー頭部間をロープで連結する自然斜面安定化工法において、
地面の前記ロープに沿う部分に窪みがある箇所について、ロープに沿って土砂流出防止部材を配置し地面に保持することを特徴とする自然斜面安定化工法。
【請求項２】
前記土砂流出防止部材が棒状部材であることを特徴とする請求項１記載の自然斜面安定化工法。
【請求項３】
前記土砂棒状部材が間伐材又は鋼管であることを特徴とする請求項２記載の自然斜面安定化工法。
【請求項４】
前記棒状部材を、ロープを押下げることができるようにロープに係合させたことを特徴とする請求項２又は３記載の自然斜面安定化工法。
【請求項５】
窪みに配置した前記棒状部材の上に別の棒状部材を重ねたことを特徴とする請求項２〜４記載の自然斜面安定化工法。
【請求項６】
前記棒状部材を地面に保持する手段として、水平に張り出した頭部を持つピンを、前記頭部で棒状部材の上面を押さえる態様で地面に差し込んだことを特徴とする請求項２〜５記載の自然斜面安定化工法。
【発明の詳細な説明】
【技術分野】
【０００１】
この発明は、多数のアンカーとアンカー頭部に取り付ける支圧部材とアンカー頭部間を連結するロープとで斜面の安定化を図る自然斜面安定化工法に関し、特に、窪みのある箇所について表層土砂の流出防止を有効に図ることができる自然斜面安定化工法に関する。
【背景技術】
【０００２】
斜面に多数のアンカーを設置するとともに、各アンカーの頭部に支圧部材を取り付けこれを締着して地盤に対する支圧力を与え、かつ各アンカー頭部間をワイヤロープで連結する自然斜面安定化工法は、樹木を残して斜面安定化を図ることができるので、斜面にコンクリートやモルタルによる格子状の枠を設置するのり枠工法と比較して、環境保全、景観等の点で自然斜面の安定化工法として優れている。
しかし、このアンカーと支圧部材とワイヤロープとによる自然斜面安定化工法（単に斜面安定化工法という）は、斜面上の樹木や草などの自生している植物を残す工法なので、植物がある斜面では土砂の流出を防止することができるが、のり枠工法のように斜面を構造物で仕切るものではないので、部分的にでも植物がない斜面では表層土砂の流出を防止する効果が低い点が弱点である。この場合、支圧部材の補強用リブやワイヤロープが表層土砂の流出防止に若干寄与するが、これらでは一定以上の土砂を捕捉することは難しい。
【０００３】
この種の斜面安定化工法において土砂流出を防止するために、本願出願人は先に、ワイヤロープに土砂流出防止部材を取り付ける工法を特許出願している（特許文献１）。この特許文献１では、土砂流出防止部材の実施例として、例えば、ロープに嵌め込むためのスリットを設けた円板状のもの、鉄線により目の粗い筒状網としてかつロープに嵌め込むためのスリットを設けたもの、矩形板に多数のスリットを設けて櫛歯状にし歯の隙間にてロープに取り付けるもの等を開示している。
【特許文献１】特開２００４−３２４３４８の図３、図４、図９等。
【発明の開示】
【発明が解決しようとする課題】
【０００４】
ところで、自然斜面には凹凸があるのが一般的であり、アンカー間に窪みが存在してロープが宙に浮いた状態となることもしばしばある。このような場合、特許文献１の各土砂流出防止部材の土砂流出防止作用は必ずしも有効とは言えない。
また、降雨時に斜面の窪みに土砂流出が生じた場合、窪みが斜面傾斜方向に延びていくこともあり、その結果、降雨の際の水路的な溝となって土砂流出がさらに促進される恐れがある。
また、窪み部分でロープが宙に浮いていると、斜面の保守等で作業者が当該施工斜面に立ち入る際にロープに足を引っ掛け易く、作業の邪魔になる。
本発明は上記背景の下になされたもので、アンカーと支圧部材とロープとで自然斜面の安定化を図る自然斜面安定化工法において、土砂流出防止を有効に図ることができるとともに、アンカー間に窪みが存在してロープが宙に浮いた状態となる場合に、その窪み部分の土砂流出を有効に防止することができ、また、ロープが作業の邪魔にならない自然斜面安定化工法を提供することを目的とする。
【課題を解決するための手段】
【０００５】
上記課題を解決する本発明は、斜面に多数のアンカーを設置するとともに、各アンカーの頭部に支圧部材を取り付けこれを締着して地盤に対する支圧力を与え、かつ各アンカー頭部間をロープで連結する自然斜面安定化工法において、
地面の前記ロープに沿う部分に窪みがある箇所について、ロープに沿って土砂流出防止部材を配置し地面に保持することを特徴とする。
【０００６】
請求項２は、請求項１の自然斜面安定化工法において、土砂流出防止部材が棒状部材であることを特徴とする。
【０００７】
請求項３は、請求項２の自然斜面安定化工法において、棒状部材が間伐材又は鋼管であることを特徴とする。
【０００８】
請求項４は、請求項２又は３の自然斜面安定化工法において、棒状部材を、ロープを押下げることができるようにロープに係合させたことを特徴とする。
【０００９】
請求項５は、請求項２〜４の自然斜面安定化工法において、窪みに配置した前記棒状部材の上に別の棒状部材を重ねたことを特徴とする。
【００１０】
請求項６は、請求項２〜５の自然斜面安定化工法において、棒状部材を地面に保持する手段として、水平に張り出した頭部を持つピンを、前記頭部で棒状部材の上面を押さえる態様で地面に差し込んだことを特徴とする。
【発明の効果】
【００１１】
本発明の自然斜面安定化工法において、土砂流出防止部材はアンカー間の窪みを埋める態様でロープに沿って配置されるので、ロープが宙に浮いていても、窪みにおける土砂流出防止作用を有効に果たすことができる。降雨時に斜面の窪みの土砂流出が生じた場合、窪みが斜面傾斜方向に延び水路的な溝となって土砂流出がさらに促進される恐れがあるが、土砂流出防止部材がこれを防止する。
請求項２の棒状部材は、ロープに沿って配置する土砂流出防止部材として適切である。
特に、請求項３のように棒状部材として間伐材又は鋼管を用いる場合、適切な太さのものを用いることで、土砂流出防止作用を有効に果たすことができる。
また、請求項４のように棒状部材を、ロープを押下げ可能にロープに係合させた場合、間伐材や鋼管などのようにある程度の重量のある棒状部材を用いることで、宙に浮いたロープを沈めることができ、斜面の保守等で作業者が当該施工斜面に立ち入る際に、足を引っ掛けることもなく、作業の邪魔にならない。また、ロープを押下げることでロープの張力を高めるので、ロープの斜面安定化作用の点で好ましい。
【００１２】
請求項５のように、棒状部材を重ねて配置すると、単に下側の棒状部材で窪み部分の土砂流出防止が図られるだけでなく、窪みが埋まった後に上側の棒状部材による土砂流出防止も図られる。
【００１３】
請求項６のように、水平に張り出した頭部を持つピンを、その頭部で棒状部材の上面を押さえる態様で地面に差し込む方法によれば、棒状部材を簡単に地面に保持できる。
【発明を実施するための最良の形態】
【００１４】
以下、本発明の斜面安定化工法の実施例を、図１〜図２３参照して説明する。
【実施例１】
【００１５】
図１（イ）は本発明の一実施形態の土砂流出抑制の斜面安定化工法を施工した斜面の平面図、（ロ）は（イ）のＡ−Ａ断面図、図２は図１の一部分の拡大図である。これらの図に示すように、この斜面安定化工法は、斜面に多数のアンカー１を設置するとともに、各アンカー１の頭部に支圧部材２を取り付けこれを締着して地盤に対する支圧力を与え、かつ各アンカー１の頭部間をロープ例えばワイヤロープ３で連結する斜面安定化工法である。
【００１６】
アンカー頭部の詳細構造を説明すると、図３に示すように、支圧部材２は、鋼板製で、中心にアンカー挿通穴を持つ底板６に筒体７を垂直に固定し、底板６と筒体７との間に、ワイヤロープ３を通すための切り欠き８ａを設けた補強リブ８を溶接固定した構造であり、この支圧部材２を地盤に打設したアンカー１の頭部に配置し、ワッシャプレート９を介してナット１０をアンカー頭部のネジ部１ａに螺合させ締め付けることで、地盤に対する支圧力を得る。
この実施例は、アンカー１の配列を、隣接する３本のアンカー１が三角形をなすような配列とするとともに、三角形をなす３本のアンカー１毎に１本のワイヤロープ３を廻らせてアンカー１間を連結するものである。ワイヤロープ３は具体的には、支圧部材２の補強リブ８の切り欠き８ａを通して、筒体７の外周に接触する。隣接するアンカー１間の間隔は例えば２ｍ程度である。
【００１７】
本発明では、図４に拡大して示すように、地面のワイヤロープ３に沿う部分に窪み１３がある箇所について、前記ワイヤロープ３に沿って土砂流出防止のための部材（土砂流出防止部材）、例えば間伐材や鋼管等の棒状部材を配置し地面に保持する。棒状部材として図示例では間伐材１１を用いている。
間伐材１１として、例えば外径１００ｍｍ程度で長さ１．５ｍ程度のものを用いることができる。間伐材１１を地面に保持する手段として、水平に張り出した頭部を持つピンを用いるとよい。図示例では、逆Ｌ字形に屈曲させたその先端を下向きに折り返した下向きコ字形の頭部１２ａを持つ間伐材保持用のピン１２を地面に差し込んでその頭部１２ａで間伐材１１の上面を押さえている。頭部１２ａの折り返し部を１２ｂで示す。図示例では間伐材１１の外径を窪み１３の深さとほぼ同程度として図示しているので、ワイヤロープ３は間伐材１１の上端近傍にくるが、間伐材１１をワイヤロープ３の斜面上方側（図４（ロ）で右側）に配置して、当該ピン１２の頭部１２ａのコーナー部と間伐材１１と間の隙間にワイヤロープ３が位置するようにしている。図示例では間伐材１１の長さ方向両側の２箇所においてピン１２で保持している。
【００１８】
上記のように、窪み１３のある箇所についてワイヤロープ３に沿って地面に配置保持した間伐材１１は、窪み１３を埋める態様となるので、ワイヤロープ３が宙に浮いていても土砂流出防止作用を有効に果たすことができ、図７（イ）に示すように、斜面の上方から下方に流出しようとする土砂１４を止めて、当該間伐材１１の斜面上方側に堆積させる。特に、降雨時に斜面の窪み１３の土砂流出が生じた場合、図７（ロ）のように、窪み１３が２点鎖線で示すように、斜面傾斜方向に延び水路的な溝１３’となって土砂流出がさらに促進される恐れがあるが、間伐材１１ががこれを防止する。図７（及び後述の図８、図９）で窪みのない箇所の斜面表面をＳで示す。
【００１９】
自然斜面に土砂流出防止部材を配置する場合、土砂流出防止作用のための高さとして例えば高さ１００ｍｍ程度とするのは適切であるが、外径１００ｍｍ程度の間伐材１１は容易に入手できるので、土砂流出防止部材の高さの確保が容易なものとして、間伐材１１は適切である。
また、長さについても、アンカー間隔を例えば２ｍとした場合、ワイヤロープ３に沿って配置する間伐材１１の長さは２ｍ弱となるが、２ｍ弱程度の間伐材１１は容易に入手できるので、この点でも、間伐材１１は土砂流出防止部材として適切である。但し、間伐材１１の外径及び長さは特に限定されない。なお、間伐材１１の長さは、アンカー間隔の全長に亘るものである必要はなく、斜面の状況によって長さを適切に設定する。
また、自然斜面の表層は柔らかいので、適度に重量を持つ間伐材１１は斜面に置いた時に地面によく馴染み、この点でもワイヤロープ３に沿わせる土砂流出防止部材として好適である。
また、自然斜面に木の幹が横たわっているのはよくある光景であり、金属製の土砂流出防止部材と比較して、間伐材１１は自然斜面に違和感なくマッチするので、この点でも自然斜面に設置する土砂流出防止部材として好適である。
上記のように、ワイヤロープ３に沿って地面に配置し保持する土砂流出防止部材として、間伐材１１は、土砂流出防止作用の面で外径や長さが適切であり、かつ自然斜面に置くものとして重量的にも適切であり、さらに、景観的に自然斜面に違和感なくマッチするものであり、しかも、その入手が極めて容易である。
また、斜面の保守等で作業者等が当該施工斜面に立ち入る際、窪み１３の箇所であまり目立たずに宙に浮いているワイヤロープ３に足を引っ掛け易いが、間伐材１１が目立つので、特に注意を払わなくても足を引っ掛けることを防止できる。これは本発明工法を施工する作業時についても言える。
【実施例２】
【００２０】
図５は図４の実施例において、窪み１３の底面に配置した間伐材１１の上に別の間伐材１１を重ねて配置した実施例を示す。
図示例では、前記実施例と同様に、下向きコ字形の頭部１２ａを持つ間伐材保持用のピン１２を地面に差し込んでいるが、ピン１２の下向きコ字形の頭部１２ａの折り返し部１２ｂを長くして、上側の間伐材１１を重ねて保持できるようにしている。ワイヤロープ３は上下の間伐材１１とピン１２との間に形成される隙間に配されている。
【００２１】
この実施例では、当初は下側の間伐材１１が土砂流出を防止し、窪み１３が埋まる段階になってからは、上側の間伐材１１が土砂流出を防止して、図８に示すように、上下の間伐材１１が土砂１４を堆積させる。
【実施例３】
【００２２】
図５の実施例ではワイヤロープ位置の窪み１３の底面が概ね平坦であるとして示したが、図６に示すように底面が湾曲している場合もある。この場合、下側の間伐材１１の下方に隙間１６が生じるが、このような場合にも、隙間１６を何らかの手段で埋める方法、あるいは単にそのままとする方法で、やはり土砂流出防止を図ることは可能である。
すなわち、例えば、施工時に隙間１６を土で埋めたり、板材その他の別部材で隙間１６を遮断したりすることで、当然、土砂流出防止機能喪失を回避できる。また、その隙間１６のままとしても、隙間１６が狭いものであれば影響は小さいし、隙間１６が若干広くても、間伐材１１が沈んだり、隙間１６が土砂や落ち葉や小枝等で埋まる等、種々の原因で隙間がなくなったり狭くなったりすることも考えられるので、隙間１６があるままとすることも考えられる。図９はそのような場合に上下の間伐材１１が土砂１４を堆積させる状況を示す。
【実施例４】
【００２３】
図１０は図４の実施例において、間伐材１１を、ワイヤロープ３を押下げることができるようにワイヤロープ３に係合させる実施例を示す。図示例では、間伐材１１の下面に間伐材長さ方向の溝１１ａを形成し、この溝１１ａにワイヤロープ３を収容している。
これにより、間伐材１１の重量で宙に浮いたワイヤロープ３を沈めて窪み１３の底面に這わせることができる。したがって、斜面の保守等で作業者が当該施工斜面に立ち入る際に、宙に浮いたワイヤロープ３に足を引っ掛けることもなく、作業の邪魔にならない。
また、間伐材１１はワイヤロープ３を沈めることで、ワイヤロープ３の張力を高める作用をするので、ワイヤロープ３の斜面安定化作用の点で好ましい。
【実施例５】
【００２４】
図５の実施例のように間伐材１１を重ねて配置する場合に、図１１に示した実施例のように、上側の間伐材１１の下面に間伐材長さ方向の溝１１ａを形成し、この溝１１ａにワイヤロープ３を収容すると、上下の間伐材１１を一体化するために有効である。
【実施例６】
【００２５】
間伐材１１を地面に保持するためのピンの変形例を図１２（イ）、（ロ）、（ハ）に示す。
図１２（イ）に示したピン１２は頭部１２ａを単に逆Ｌ字形に屈曲させたもの（折り返し部のない形状）である。ピン１２を図示のように間伐材１１の斜面下方側（図１２（イ）で左側）に差し込んだ場合は、ピン１２が間伐材１１の斜面下方への移動を拘束するとともに、間伐材１１が斜面上方に移動することは概ねないので、折り返し部のない単なる逆Ｌ字形としても問題はない。
また、図１２（ロ）に示すように、ピン１２の頭部１２ａを弧状にしてもよい。これにより、間伐材１１の保持が単なる逆Ｌ字形の場合より確実になり、間伐材１１の移動を防止できる。
また、図１２（ハ）に示すように、頭部１２ａが下向きコ字形をなす場合に、折り返し部１２ｂを長くして、この折り返し部１２ｂも地面に差し込むようにしてもよい。これにより、間伐材１１の保持がさらに確実になり、間伐材１１の移動を防止できる。
【実施例７】
【００２６】
上述の各実施例はピン１２を間伐材１１の横に差し込んでその頭部１２ａで間伐材１１を保持するものであるが、図１３（イ）、（ロ）に示すように、間伐材１１を貫通する貫通ピン１５を地面に差し込んで、間伐材１１を地面に保持してもよい。
この貫通ピン１５による方法は、図１３（ロ）のように上下に間伐材１１を重ねる場合に、両者を堅固に一体化できるので、そのような場合に特に適切である。
図示例の貫通ピン１５は逆Ｌ字形の頭部１５ａを有するので、抜け止めが図られるものとなっているが、頭部に抜け止めのない単なる直線状の貫通ピンであってもよい。
その場合でも、間伐材１１の斜面傾斜方向の移動を拘束できれば充分なので、特に問題はない。また、場合によっては貫通ピン１５を抜かずに間伐材１１だけを取り替えることも可能である。
【実施例８】
【００２７】
図１０（イ）のように間伐材１１でワイヤロープ３を沈める場合に、図１４（イ）のように、間伐材１１の下面に設けた溝１１ａにワイヤロープ３を収容するとともに、間伐材１１を貫通する貫通ピン１５を地面に差し込んで、間伐材１１を地面に保持してもよい。この場合、溝１１ａの幅を広くして、貫通ピン１５がワイヤロープ３と干渉しないようにするとよい。また、溝を間伐材１１の幅方向中央位置からずらして貫通ピン１５が溝を貫通しないようにしてもよい。
また、図５（イ）のように間伐材１１を上下に重ねる場合に、図１４（ロ）のように、上側の間伐材１１の下面に設けた溝１１ａにワイヤロープ３を収容するとともに、間伐材１１を貫通する貫通ピン１５を地面に差し込んで、上下の間伐材１１を地面に保持してもよい。
【実施例９】
【００２８】
また、図１５（イ）、（ロ）に示すように、間伐材１１とワイヤロープ３とを鉄線１７などで結束して、間伐材１１をワイヤロープ３に係合させる簡便な方法を採用してもよい。アンカー１に連結されたワイヤロープ３は移動しないので、間伐材１１はこのワイヤロープ３を介して地面に保持される。
【実施例１０】
【００２９】
実施例は１本のワイヤロープ３で三角形配置の３本のアンカー間を連結するものであるが、その場合に、ワイヤロープ３の三角形に閉ざす端部は通常、図１６に簡略化して示したようにターンバックル１８を介して連結する。そこで、ターバックル１８に連結するためにワイヤロープ３の端部に設けた止め輪３ａを通して、地面にピン１２を差し込んでもよい。ピン１２は両端の止め輪３ａの一方又は両方のいずれでもよい。
【実施例１１】
【００３０】
上述の各実施例は棒状部材として間伐材１１を用いたが、図１７（イ）、（ハ）のように角形鋼管１１Ａを用いることもでき、図１７（ロ）、（ニ）のように丸鋼管１１Ｂを用いることができる。（イ）、（ロ）は図４（ロ）に対応する図（図４（イ）のように配置する場合のもの）、（ハ）、（ニ）は図５（ロ）に対応する図（図５（イ）のように重ねて配置する場合のもの）である。
【実施例１２】
【００３１】
上述の各実施例は、アンカー１の配列が三角形配列でワイヤロープ３が三角形網目を形成する場合であるが、図１８に示すように、アンカー１間を連結するワイヤロープ２３が、縦方向（斜面傾斜方向）のワイヤロープ２３ａとこれと直角な横方向（水平方向）のワイヤロープ２３ｂとで格子状をなし四角形網目を形成する場合にも適用できる。図示の支圧部材２は円形である。
【実施例１３】
【００３２】
図１９は斜面に予め金網等のネット２０を敷設する場合の実施例である。ネット２０はアンカー１に係合させる。アンカー１、支圧部材２及びワイヤロープ３の施工については、前述の実施例と同様である。
この実施例では、ネット２０の上から間伐材１１を配置し地面に保持する。
間伐材１１は前述と同様に土砂流出防止の作用を奏する。
なお、図１９の実施例で、ワイヤロープ３を省略する場合も考えられる。
【実施例１４】
【００３３】
図２０、図２１に、土砂流出防止部材として脚３１ａのある脚付きの屏風状部材３１を用いる自然斜面安定化工法を示す。図２０は要部の斜視図、図２１（イ）は断面図（図４（イ）に対応する図）、（ロ）は同平面図である。
図示のように、地面のワイヤロープ３に沿う部分に窪み１３がある箇所について、ワイヤロープ３に沿って脚付きの屏風状部材３１をその脚３１ａを地面に差し込んで配置して地面に保持する。屏風本体を３１ｂで示す。その際、隣接する脚３１ａがワイヤロープ３を跨ぐように配置する。
屏風状部材３１の屏風本体３１ｂ及び脚３１ａの材質としては、鋼材、プラスチック、木材などを用いることができる。
【００３４】
上記の工法によれば、土砂流出防止のための部材（脚付き屏風状部材３１）が上からみてジグザグに屈曲した屏風状部材であることで、充分高い土砂捕捉効果が得られる。
また、脚付きでありその隣接する脚３１ａがワイヤロープ３を跨ぐので、ワイヤロープ３に対して確実に係合する。
また、屏風本体３１ｂがワイヤロープ３を押下げて窪み１３の底面に這わせるので、ワイヤロープ３が宙に浮かず、作業の邪魔にならない。また、ワイヤロープ３の張力を高める作用をするので、ワイヤロープ３の斜面安定化作用の点で好ましい。
また、屏風状部材３１は、開き具合を変えて幅Ｗ（図２１（ロ）参照）を調節することができるので、窪み１３の広がり等の状況に対応する上で好都合である。
【実施例１５】
【００３５】
図２２、図２３に、土砂流出防止部材として円盤状部材４１を用いる自然斜面安定化工法を示す。図２２は要部の斜視図、図２３（イ）は断面図（図４（イ）に対応する図）、（ロ）は同平面図である。
この工法は図示のように、主として、ワイヤロープ３に沿う部分に概ね円形状の窪み１３”がある場合に採用されるもので、ワイヤロープ３の上に載るように円盤状部材（ないし背の低い円柱状部材）４１を配置する。実施例では底面に地面に差し込む脚４１ａを設けている。円盤状部材４１は、中実あるいは中空のいずれでもよい。円盤状部材４１の材質としては、鋼材、プラスチック、木材などを用いることができる。
【００３６】
この工法によれば、ワイヤロープ３に沿う部分に概ね円形状の窪み１３”がある場合に、窪み１３”部分における土砂流出防止作用を有効に果たすことができる。
また、ワイヤロープ３に載せた円盤状部材４１はワイヤロープ３を押下げて窪み１３”の底面に這わせるので、ワイヤロープ３が宙に浮かず、作業の邪魔にならない。また、ワイヤロープ３の張力を高める作用をするので、ワイヤロープ３の斜面安定化作用の点で好ましい。
図示例のように底面に設けた脚４１ａを地面に差し込むことで、地面にしっかり保持されるが、円形状の窪み１３”に置いた円盤状部材４１はみだりに移動しないので、脚４１ａを設けなくてもよい。
【実施例１６】
【００３７】
本発明において、窪みにワイヤロープ３に沿って配置する土砂流出防止部材としては、上述の棒状部材や屏風状部材や円盤状部材に限らず、その他種々のものを用いることができる。
【図面の簡単な説明】
【００３８】
【図１】本発明の一実施例の斜面安定化工法を施工した斜面を示すもので、（イ）は斜面の一部分の平面図、（ロ）は（イ）のＡ−Ａ断面図である。
【図２】図１（イ）の一部分の拡大図である。
【図３】図１における１箇所のアンカー頭部近傍の詳細構造を示した断面図である。
【図４】（イ）は図２のＢ−Ｂ断面図、（ロ）は図２のＣ−Ｃ断面図である（但し、図面では斜面を水平に図示している）。
【図５】棒状部材である間伐材をロープの上下に取り付ける実施例を示すもので、（イ）は図４（イ）に対応する図、（ロ）は図４（ロ）に対応する図である。
【図６】間伐材をロープの上下に取り付ける実施例で斜面の窪みが異なる態様の場合を示すもので、（イ）は図５（イ）に対応する図、（ロ）は図５（ロ）に対応する図である。
【図７】（イ）は図４の実施例において間伐材が土砂流出を防止する状況を説明する図（なお、図４等と異なり、斜面を傾けて図示している）、（ロ）は（イ）よりさらに広い範囲で示した図である。
【図８】図５の実施例において間伐材が土砂流出を防止する状況を説明する図である。
【図９】図６の実施例において間伐材が土砂流出を防止する状況を説明する図である。
【図１０】ロープを窪みに沈めるように間伐材を配置した実施例を示すもので、（イ）は図４（イ）に対応する図、（ロ）は図４（ロ）に対応する図である。
【図１１】間伐材を地面に保持する手段のさらに他の実施例を示すもので、図５（ロ）に対応する図である。
【図１２】間伐材を地面に保持するためのピンの変形例を示すもので、（イ）、（ロ）、（ハ）はそれぞれ異なる変形例を示す。
【図１３】間伐材を地面に保持する手段のさらに他の実施例を示すもので、（イ）は図４（ロ）に対応する図、（ロ）は図５（ロ）に対応する図である。
【図１４】間伐材を地面に保持する手段のさらに他の実施例を示すもので、（イ）は図４（ロ）に対応する図、（ロ）は図５（ロ）に対応する図である。
【図１５】間伐材を地面に保持する手段のさらに他の実施例を示すもので、（イ）は図４（ロ）に対応する図、（ロ）は図５（ロ）に対応する図である。
【図１６】間伐材を地面に保持する手段のさらに他の実施例を示すもので、ロープを連結する部分のロープ止め輪を利用することを示す図である。
【図１７】棒状部材として角形鋼管又は丸鋼管を用いた実施例を示すもので、（イ）、（ロ）は図４（ロ）に対応する図、（ハ）、（ニ）は図５（ロ）に対応する図である。
【図１８】本発明のさらに他の実施例を示すもので、アンカー配列を格子状にしてロープが四角形網目を形成する場合を示す。
【図１９】本発明のさらに他の実施例を示すもので、予めネットを布設した場合を示す。
【図２０】土砂流出防止部材として脚付き屏風状部材を配置する自然斜面安定化工法の実施例を示す斜視図である。
【図２１】（イ）は図２０の実施例を断面図で示したもので図４（イ）に対応する図、（ロ）は同平面図で示したものである。
【図２２】土砂流出防止部材として円盤状部材を配置する自然斜面安定化工法の実施例を示す斜視図である。
【図２３】（イ）は図２２の実施例を断面図で示したもので図４（イ）に対応する図、（ロ）は同平面図で示したものである。
【符号の説明】
【００３９】
１  アンカー
２  支圧部材
３  ワイヤロープ（ロープ）
３ａ  止め輪
１１  間伐材（棒状部材）
１１ａ  溝
１１Ａ、１１Ｂ  鋼管（棒状部材）
１２  ピン
１２ａ  頭部
１２ｂ  折り返し部
１３、１３’、１３”  窪み
１４  土砂
１５  ピン（貫通ピン）
１６  隙間
１７  鉄線
１８  ターンバックル
２０  ネット
３１  脚付き屏風状部材
３１ａ  脚
３１ｂ  屏風本体
４１  円盤状部材
４１ａ  脚
【図１】
2008115544.tif 000003
【図２】
2008115544.tif 000004
【図３】
2008115544.tif 000005
【図４】
2008115544.tif 000006
【図５】
2008115544.tif 000007
【図６】
2008115544.tif 000008
【図７】
2008115544.tif 000009
【図８】
2008115544.tif 000010
【図９】
2008115544.tif 000011
【図１０】
2008115544.tif 000012
【図１１】
2008115544.tif 000013
【図１２】
2008115544.tif 000014
【図１３】
2008115544.tif 000015
【図１４】
2008115544.tif 000016
【図１５】
2008115544.tif 000017
【図１６】
2008115544.tif 000018
【図１７】
2008115544.tif 000019
【図１８】
2008115544.tif 000020
【図１９】
2008115544.tif 000021
【図２０】
2008115544.tif 000022
【図２１】
2008115544.tif 000023
【図２２】
2008115544.tif 000024
【図２３】
2008115544.tif 000025